(57)【要約】      （修正有）【課題】有機系の二次廃棄物の発生量を低減させることができる放射性廃液処理方法を提供する。【解決手段】放射性廃液処理方法Ｓ１００は、放射性廃液に、無機系材料からなる粉末吸着剤を添加し、前記放射性廃液と前記粉末吸着剤とを混合することにより、前記放射性廃液中の放射性物質を前記粉末吸着剤に吸着させる吸着ステップＳ２０と、吸着ステップのＳ２０後に、前記放射性廃液に対して固液分離を施すことで、前記放射性廃液から前記放射性物質を吸着した前記粉末吸着剤を分離させる固液分離ステップＳ３０と、固液分離ステップＳ３０の後に、前記放射性物質を吸着した前記粉末吸着剤を無機系の固化材を用いて固化させる固化ステップＳ４０と、を含む。【選択図】図２
2016114472.tif 000002
【特許請求の範囲】
【請求項１】
放射性廃液に、無機系材料からなる粉末吸着剤を添加し、前記放射性廃液と前記粉末吸着剤とを混合することにより、前記放射性廃液中の放射性物質を前記粉末吸着剤に吸着させる吸着ステップと、
前記吸着ステップの後に、前記放射性廃液に対して固液分離を施すことで、前記放射性廃液から前記放射性物質を吸着した前記粉末吸着剤を分離させる固液分離ステップと、
前記固液分離ステップの後に、前記放射性物質を吸着した前記粉末吸着剤を無機系の固化材を用いて固化させる固化ステップと、を含む放射性廃液処理方法。
【請求項２】
前記固化ステップの前に、前記固液分離ステップで前記放射性物質を吸着した前記粉末吸着剤が分離された前記放射性廃液をフィルタに通水させるフィルタ通水ステップを含む請求項１に記載の放射性廃液処理方法。
【請求項３】
前記固液分離ステップで前記放射性物質を吸着した前記粉末吸着剤が分離された前記放射性廃液のｐＨを調整するｐＨ調整ステップと、
前記ｐＨ調整ステップの後に、前記放射性廃液で除染対象物を除染する再除染ステップとを含む請求項１または請求項２に記載の放射性廃液処理方法。
【請求項４】
放射性廃液に、無機系材料からなる粉末吸着剤を添加し、前記放射性廃液と前記粉末吸着剤とを混合することにより、前記放射性廃液中の放射性物質を前記粉末吸着剤に吸着させる吸着部と、
前記吸着部で処理された前記放射性廃液に対して固液分離を施すことで、前記放射性廃液から前記放射性物質を吸着した前記粉末吸着剤を分離させる固液分離部と、
前記固液分離部で分離された前記放射性物質を吸着した前記粉末吸着剤を無機系の固化材を用いて固化させる固化部と、を備える放射性廃液処理装置。
【発明の詳細な説明】
【技術分野】
【０００１】
本発明は、放射性廃液処理方法及び放射性廃液の処理装置に関する。
【背景技術】
【０００２】
原子力プラントの関連設備の補修・解体工事では、部材を構成する金属部品に付着した放射性物質を除染処理した後に生じる放射性廃液の処理を行っている。放射性廃液は、ろ過、イオン交換、蒸発濃縮等の工程を経て、放射性廃液中の放射性物質の濃縮処理を行った後に、濃縮後の放射性物質をセメント等で固化して安定した固体廃棄物として保管されている。
【０００３】
このような放射性廃液の処理方法として、例えば、特許文献１には、二酸化マンガン触媒の存在下で放射性廃液を酸化剤と接触させることで放射性廃液中の放射性物質を酸化・不溶化処理する方法が開示されている。この方法では、酸化・不溶化処理後の放射性廃液をフィルタに通水することでろ過して固液分離させ、不溶化された放射性物質を除去している。
【先行技術文献】
【特許文献】
【０００４】
【特許文献１】特許第３７２９３４２号公報
【発明の概要】
【発明が解決しようとする課題】
【０００５】
ところで、放射性廃液中から放射性物質を除去するためにろ過処理やイオン交換処理を行う場合、ろ過膜及びイオン交換樹脂等の二次廃棄物が発生する。特に、イオン交換樹脂は、放射性廃液から効率的に放射性物質を除去することが可能なために、放射性廃液の処理に多く利用されている。有機物であるイオン交換樹脂は、放射性分解による水素発生が懸念されるため、セメント等で固化処理する際には、無機化処理が必要となる。
【０００６】
しかしながら、除染処理後に発生する放射性廃液を処理したイオン交換樹脂（除染廃液処理済イオン交換樹脂）は高線量であるため、無機化処理が困難である。そのため、処分場への搬出が困難であり、除染廃液処理済イオン交換樹脂は、各原子力プラントに設けられた保管庫に保管せざるを得ない状況である。したがって、除染廃液処理済イオン交換樹脂のような有機系の二次廃棄物の発生量を低減したいという要望がある。
【０００７】
本発明は、上記要望を解決するためになされたものであって、有機系の二次廃棄物の発生量を低減させることが可能な放射性廃液の処理方法を提供するものである。
【課題を解決するための手段】
【０００８】
上記課題を解決するために、本発明は以下の手段を提案している。
本発明の一態様に係る放射性廃液処理方法は、放射性廃液に、無機系材料からなる粉末吸着剤を添加し、前記放射性廃液と前記粉末吸着剤とを混合することにより、前記放射性廃液中の放射性物質を前記粉末吸着剤に吸着させる吸着ステップと、前記吸着ステップの後に、前記放射性廃液に対して固液分離を施すことで、前記放射性廃液から前記放射性物質を吸着した前記粉末吸着剤を分離させる固液分離ステップと、前記固液分離ステップの後に、前記放射性物質を吸着した前記粉末吸着剤を無機系の固化材を用いて固化させる固化ステップと、を含む。
【０００９】
このような構成によれば、吸着ステップで無機系材料からなる粉末吸着剤に放射性廃液中の放射性物質を吸着させた後に、固液分離ステップで固液分離することで、放射性廃液中から放射性物質を粉末吸着剤とともに除去することができる。そして、除去した粉末吸着剤を無機系の固化材を用いて固化することで、無機系の二次廃棄物として処理することができる。したがって、放射性廃液中の放射性物質を有機系の材料を用いずに、無機系の材料のみで処理することができる。
【００１０】
また、上記放射性廃液処理方法では、前記固化ステップの前に、前記固液分離ステップで前記放射性物質を吸着した前記粉末吸着剤が分離された前記放射性廃液をフィルタに通水させるフィルタ通水ステップを含んでいてもよい。
【００１１】
このような構成によれば、フィルタ通水ステップにおいて固液分離ステップで粉末吸着剤が一度分離された放射性廃液をフィルタに通水させることで、固液分離ステップでは除去しきれずに放射性廃液中に残留した僅かな粉末吸着剤を放射性物質とともに高精度に分離することができる。
【００１２】
また、上記放射性廃液処理方法では、前記固液分離ステップで前記放射性物質を吸着した前記粉末吸着剤が分離された前記放射性廃液のｐＨを調整するｐＨ調整ステップと、前記ｐＨ調整ステップの後に、前記放射性廃液で除染対象物を除染する再除染ステップとを含んでいてもよい。
【００１３】
このような構成によれば、放射性物質を吸着した粉末吸着剤が分離された放射性廃液のｐＨをｐＨ調整ステップでｐＨを調整することで、再除染ステップにおいて粉末吸着剤が分離された放射性廃液を用いて除染対象物を除染することができる。したがって、粉末吸着剤が分離された放射性廃液を廃棄せずに、再び除染系統に戻して循環利用することができる。これにより、放射性廃液を効率的に使用して、最終的に処理しなければならない放射性廃液の処理量を低減することができる。
【００１４】
また、本発明の第二の態様に係る放射性廃液処理装置では、放射性廃液に、無機系材料からなる粉末吸着剤を添加し、前記放射性廃液と前記粉末吸着剤とを混合することにより、前記放射性廃液中の放射性物質を前記粉末吸着剤に吸着させる吸着部と、前記吸着部で処理された前記放射性廃液に対して固液分離を施すことで、前記放射性廃液から前記放射性物質を吸着した前記粉末吸着剤を分離させる固液分離部と、前記固液分離部で分離された前記放射性物質を吸着した前記粉末吸着剤を無機系の固化材を用いて固化させる固化部と、を備える。
【発明の効果】
【００１５】
本発明の放射性廃液処理方法によれば、無機系材料からなる粉末吸着剤を用いて放射性物質を吸着した後に固液分離して無機系の固化材を用いて固化させることで、無機系の二次廃棄物として処理でき、有機系の二次廃棄物の発生量を低減することができる。
【図面の簡単な説明】
【００１６】
【図１】本発明の第一実施形態における除染廃液処理装置を説明する模式図である。
【図２】本発明の第一実施形態における除染廃液処理方法を説明するフローチャートである。
【図３】本発明の第二実施形態における除染廃液処理装置を説明する模式図である。
【図４】本発明の第ニ実施形態における除染廃液処理方法を説明するフローチャートである。
【発明を実施するための形態】
【００１７】
《第一実施形態》
以下、本発明に係る第一実施形態について図１及び図２を参照して説明する。
放射性廃液処理装置は、ニッケルやコバルトなどの放射性物質を含有する放射性廃液から放射性物質を分離、除去する放射性廃液処理方法に用いられる装置である。
【００１８】
図１に示すように、第一実施形態の放射性廃液処理装置１００は、除染対象物を除染する除染設備１０と、除染設備１０で除染処理後に排出される放射性廃液Ｗ１に粉末吸着剤Ａを添加し、放射性廃液Ｗ１中の放射性物質を粉末吸着剤Ａに吸着させる吸着部２０と、放射性廃液Ｗ１から放射性物質を吸着した粉末吸着剤Ａを分離させる液体サイクロン３０（固液分離部）と、放射性物質を吸着した粉末吸着剤Ａを固化させる固化部４０と、粉末吸着剤Ａが分離された放射性廃液のｐＨを調整するｐＨ調整部５０とを備えている。
【００１９】
除染設備１０は、原子力プラント等を構成する金属部品の表面に付着したニッケルやコバルト等を含む放射性物質を酸性やアルカリ性の薬液で除去する除染処理が実施される。除染設備１０で放射性物質の除去に使用された薬液は、放射性物質を含む放射性廃液Ｗ１となって除染設備１０から排出される。
【００２０】
吸着部２０は、無機系材料からなる粉末吸着剤Ａによって放射性廃液Ｗ１中の放射性物質を除去する。吸着部２０は、放射性廃液Ｗ１と添加された粉末吸着剤Ａとを混合することにより、放射性廃液Ｗ１中の放射性物質を粉末吸着剤Ａに吸着させる。本実施形態の吸着部２０は、放射性廃液Ｗ１と粉末吸着剤Ａとが混合される混合容器２１と、粉末吸着剤Ａに放射性廃液Ｗ１中の放射性物質を吸着させる反応槽２２とを有する。
【００２１】
混合容器２１は、添加された粉末吸着剤Ａを放射性廃液Ｗ１とともに攪拌する攪拌器である。本実施形態で混合容器２１に添加される粉末吸着剤Ａは、粉状の無機系材料が用いられる。粉状の無機系材料としては、例えば、粒径が０．３ｍｍ未満のゼオライトやリン酸塩やアンチモン酸塩が用いられることが好ましく、粒径が０．００３ｍｍ〜０．３ｍｍの範囲内であることがより好ましい。
【００２２】
反応槽２２は、混合容器２１で混合された粉末吸着剤Ａと放射性廃液Ｗ１との混合溶液Ｗ２を貯蔵する貯蔵容器である。反応槽２２では、粉末吸着剤Ａに放射性廃液Ｗ１中の放射性物質が吸着するために所定時間にわたって混合溶液Ｗ２が貯蔵される。
【００２３】
液体サイクロン３０は、反応槽２２に貯蔵された混合溶液Ｗ２に対して固液分離を施す。液体サイクロン３０は、放射性廃液Ｗ１から放射性物質が吸着した粉末吸着剤Ａを遠心力によって分離させる。液体サイクロン３０は、放射性物質が吸着した粉末吸着剤Ａを固化部４０に排出すると共に、粉末吸着剤Ａが除去された放射性廃液Ｗ１を処理水Ｗ３としてｐＨ調整部５０に排出する。
【００２４】
固化部４０は、液体サイクロン３０で分離された放射性物質を吸着した粉末吸着剤Ａを無機系の固化材を用いて固化させる。本実施形態の固化部４０は、粉末吸着剤Ａにセメント固化処理を施す。なお、固化部４０は、セメント固化に限定されるものではなく、無機系の固化材を用いればよく、例えば、ガラス固化であってもよく、ゼオライトや酸化カルシウムやジオポリマー（アルミナシリカと高炉スラグの混合物）で固化してもよい。
【００２５】
ｐＨ調整部５０は、液体サイクロン３０で放射性物質を吸着した粉末吸着剤Ａが分離された放射性廃液Ｗ１である処理水Ｗ３のｐＨが調整される。本実施形態のｐＨ調整部５０は、処理水Ｗ３のｐＨを計測し、計測した処理水Ｗ３にｐＨに合わせて、除染に適したｐＨとなるよう除染試薬を投入する。ｐＨ調整部５０は、除染試薬として、例えば、シュウ酸やクエン酸や過マンガン酸が投入される。
【００２６】
次に、放射性廃液処理装置１００を用いた放射性廃液処理方法Ｓ１００について図２を参照して説明する。
放射性廃液処理方法Ｓ１００は、無機系材料からなる粉末吸着剤Ａを用いて放射性廃液Ｗ１中の放射性物質を除去する。図２に示すように、本実施形態の放射性廃液処理方法Ｓ１００は、放射性廃液Ｗ１に粉末吸着剤Ａを添加し、放射性廃液Ｗ１中の放射性物質を粉末吸着剤Ａに吸着させる吸着ステップＳ２０と、放射性廃液Ｗ１から放射性物質を吸着した粉末吸着剤Ａを分離させる固液分離ステップＳ３０と、分離された粉末吸着剤Ａを固化させる固化ステップＳ４０と、粉末吸着剤Ａが分離された放射性廃液Ｗ１のｐＨを調整するｐＨ調整ステップＳ５０と、ｐＨを調整した放射性廃液Ｗ１で除染対象物を除染する再除染ステップＳ１０とを含んでいる。
【００２７】
吸着ステップＳ２０は、放射性廃液Ｗ１に、無機系材料からなる粉末吸着剤Ａを添加する。吸着ステップＳ２０は、放射性廃液Ｗ１と粉末吸着剤Ａとを混合することにより、放射性廃液Ｗ１中の放射性物質を粉末吸着剤Ａに吸着させる。本実施形態の吸着ステップＳ２０は、放射性廃液Ｗ１と粉末吸着剤Ａとを混合する混合ステップＳ２１と、混合ステップＳ２１の後に粉末吸着剤Ａに放射性廃液Ｗ１中の放射性物質を吸着させる反応ステップＳ２２とを有する。
【００２８】
混合ステップＳ２１は、混合容器２１で放射性廃液Ｗ１に粉末吸着剤Ａを添加して攪拌し、混合溶液Ｗ２を生成する。
反応ステップＳ２２は、放射性廃液Ｗ１中の放射性物質が粉末吸着剤Ａに吸着するまで、混合ステップＳ２１において混合容器２１で混合された混合溶液Ｗ２を所定時間にわたって貯蔵する。ここでいう所定時間は、添加する粉末吸着剤Ａの種類や粒径に応じて、適宜設定されればよい。
【００２９】
固液分離ステップＳ３０は、吸着ステップＳ２０の後に、混合溶液Ｗ２に対して固液分離を施す。固液分離ステップＳ３０は、イオン交換樹脂等の有機系材料を用いたフィルタを使用せずに、放射性廃液Ｗ１から放射性物質を吸着した粉末吸着剤Ａを分離させる。本実施形態の固液分離ステップＳ３０は、液体サイクロン３０を用いて遠心力を利用して、混合溶液Ｗ２を粉末吸着剤Ａと、放射性物質が除去された放射性廃液Ｗ１である処理水Ｗ３とに分離する。
【００３０】
固化ステップＳ４０は、固液分離ステップＳ３０の後に、放射性物質を吸着した粉末吸着剤Ａを無機系の固化材を用いて固化させる。固化ステップＳ４０は、有機系の固化材を用いずに、無機系の固化材のみで固化する。本実施形態の固化ステップＳ４０は、固液分離ステップＳ３０で混合溶液Ｗ２から分離された粉末吸着剤Ａを、固化部４０でセメント固化処理を行って固化する。
【００３１】
ｐＨ調整ステップＳ５０は、固液分離ステップＳ３０で放射性物質を吸着した粉末吸着剤Ａが分離された放射性廃液Ｗ１である処理水Ｗ３のｐＨを調整する。本実施形態のｐＨ調整ステップＳ５０は、処理水Ｗ３のｐＨを計測し、計測した処理水Ｗ３にｐＨに合わせて、除染に適したｐＨとなるよう除染試薬を投入する。
【００３２】
再除染ステップＳ１０は、ｐＨ調整ステップＳ５０の後に、ｐＨが調整された処理水Ｗ３で除染対象物を除染する。本実施形態の再除染ステップＳ１０は、除染設備１０でｐＨが調整された処理水Ｗ３を用いて除染対象物を除染し、放射性物質を含む放射性廃液Ｗ１を排出する。再除染ステップＳ１０を実施後に、再び吸着ステップＳ２０が実施されて放射性廃液Ｗ１が処理される。
【００３３】
上記のような放射性廃液処理装置１００及び放射性廃液処理方法Ｓ１００によれば、混合ステップＳ２１において混合容器２１内で放射性廃液Ｗ１に無機系材料からなる粉末吸着剤Ａを添加して混合することで混合溶液Ｗ２を生成し、反応ステップＳ２２で所定時間にわたって混合溶液Ｗ２を貯蔵するだけで粉末吸着剤Ａに放射性廃液Ｗ１中の放射性物質を吸着させることができる。その後、放射性物質が吸着した粉末吸着剤Ａを固液分離ステップＳ３０で液体サイクロン３０によって混合溶液Ｗ２から分離させることで、放射性廃液Ｗ１から放射性物質を粉末吸着剤Ａとともに除去することができる。除去された粉末吸着剤Ａに固化ステップＳ４０でセメント固化処理を施すことで、放射性物質を含んだ粉末吸着剤Ａを無機系の二次廃棄物として処理することができる。したがって、放射性廃液Ｗ１中の放射性物質をイオン交換樹脂等の有機系の材料を用いずに、無機系の材料のみで処理することができる。これにより、有機系の二次廃棄物の発生量を低減することができる。
【００３４】
また、粒径が０．３ｍｍ未満の粉状の無機系材料からなる粉末吸着剤Ａを用いることで、０．３ｍｍ以上の粒子状の吸着剤を用いる場合に比べて、吸着剤の表面積を大きくすることができる。放射性廃液Ｗ１のｐＨが２から３程度である際に、無機系材料からなる粉末吸着剤Ａでは放射性物質の吸着速度がそれほど速くない。ところが、粒径が０．３ｍｍ未満の粉状とすることで無機系材料からなる粉末吸着剤Ａを用いた場合であっても、イオン交換樹脂を用いた場合と同等の処理速度で放射性廃液Ｗ１中の放射性物質を除去することができる。これにより、粉末吸着剤Ａに対する放射性物質の吸着速度を向上させ、放射性廃液Ｗ１の処理速度を向上することができる。
【００３５】
また、粉末吸着剤Ａの粒径を０．００３ｍｍ以上とすることで、固液分離ステップＳ３０で液体サイクロン３０を用いて粉末吸着剤Ａの分離効率が低下してしまうことを抑制することができる。これにより、混合溶液Ｗ２から放射性物質が吸着した粉末吸着剤Ａを液体サイクロン３０によって高い精度で効率的に除去することができる。
【００３６】
また、有機系材料を用いたフィルタ等のろ材を用いずに、液体サイクロン３０によって固液分離ステップＳ３０で混合溶液Ｗ２から放射性物質が吸着した粉末吸着剤Ａを分離させることで、フィルタ等の廃棄物の発生を抑制することができる。したがって、有機系の二次廃棄物の発生量を低減するだけでなく、無機系の二次廃棄物を含めた最終的に処理しなければならない廃棄物量を低減することができる。
【００３７】
また、固液分離ステップＳ３０で分離された処理水Ｗ３のｐＨをｐＨ調整ステップＳ５０で計測して除染に適したｐＨとなるように除染試薬を投入して調整することで、再除染ステップＳ１０において除染設備１０で処理水Ｗ３を用いて除染対象物を除染することができる。したがって、処理水Ｗ３を廃棄せずに、再び除染系統に戻して循環利用することができる。これにより、放射性廃液Ｗ１を効率的に使用して、最終的に処理しなければならない放射性廃液Ｗ１の処理量を低減することができる。
【００３８】
《第二実施形態》
次に、図３及び図４を参照して第二実施形態の放射性廃液処理装置１０１及び放射性廃液処理方法Ｓ１０１について説明する。
第二実施形態においては第一実施形態と同様の構成要素には同一の符号を付して詳細な説明を省略する。この第二実施形態の放射性廃液処理装置１０１及び放射性廃液処理方法Ｓ１０１は、固液分離ステップＳ３０で液体サイクロン３０を用いて分離された処理水Ｗ３をフィルタに通水させる点について第一実施形態と相違する。
【００３９】
第二実施形態の放射性廃液処理装置１０１では、図３に示すように、液体サイクロン３０で放射性物質を吸着した粉末吸着剤Ａが分離された放射性廃液Ｗ１が通水するフィルタ通水部６０を備えている。
【００４０】
フィルタ通水部６０は、液体サイクロン３０で混合溶液Ｗ２から分離された処理水Ｗ３をフィルタに通水させる。本実施形態のフィルタ通水部６０は、イオン交換樹脂等の有機系材料からなる高分子のフィルタを用いずに、無機系材料からなるフィルタを用いる。無機系材料からなるフィルタとしては、例えば、メタルフィルタやガラスフィルタが好ましい。フィルタ通水部６０は、処理水Ｗ３中に僅かに残留している放射性物質が吸着した粉末吸着剤Ａを固化部４０に排出すると共に、粉末吸着剤Ａが除去された処理水Ｗ３を再除去処理水Ｗ４としてｐＨ調整部５０に排出する。フィルタ通水部６０から排出された粉末吸着剤Ａは、液体サイクロン３０から排出された粉末吸着剤Ａとともに、固化部４０でセメント固化処理が行われる。
【００４１】
次に、第二実施形態の放射性廃液処理方法Ｓ１０１について図４を参照して説明する。
第二実施形態の放射性廃液処理方法Ｓ１０１では、図４に示すように、固化ステップＳ４０の前に、固液分離ステップＳ３０で放射性物質を吸着した粉末吸着剤Ａが分離された放射性廃液Ｗ１をフィルタ通水部６０でフィルタに通水させるフィルタ通水ステップＳ６０を含んでいる。
【００４２】
フィルタ通水ステップＳ６０は、固液分離ステップＳ３０において液体サイクロン３０で混合溶液Ｗ２から分離された処理水Ｗ３をフィルタに通水させる。フィルタ通水ステップＳ６０は、処理水Ｗ３中に僅かに残留している粉末吸着剤Ａを排出して固化ステップＳ４０を実施する。また、フィルタ通水ステップＳ６０は、粉末吸着剤Ａとともに放射性物質が除去された処理水Ｗ３を再除去処理水Ｗ４として排出して、ｐＨ調整ステップＳ５０を実施する。
【００４３】
上記のような第二実施形態の放射性廃液処理装置１０１及び放射性廃液処理方法Ｓ１０１によれば、フィルタ通水ステップＳ６０において液体サイクロン３０で粉末吸着剤Ａが一度分離された処理水Ｗ３をフィルタに通水させることで、液体サイクロン３０では除去しきれずに処理水Ｗ３中に残留した僅かな粉末吸着剤Ａを放射性物質とともに高精度に分離することができる。
【００４４】
また、フィルタ通水ステップＳ６０では、フィルタ通水部６０で無機系材料からなるフィルタを用いることで、フィルタ通水ステップＳ６０を実施しても、有機系の二次廃棄物が増加してしまうことを防ぐことができる。
【００４５】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００４６】
なお、上記第一実施形態及び第二実施形態では、反応ステップＳ２２として反応槽２２で粉末吸着剤Ａが添加された放射性廃液Ｗ１である混合溶液Ｗ２を所定時間にわたって貯蔵したが、このような構成に限定されるものではない。例えば、粉末吸着剤Ａの種類や粒径に応じて、混合ステップＳ２１において混合容器２１で粉末吸着剤Ａと放射性廃液Ｗ１とを混合するだけで、十分に放射性物質を粉末吸着剤Ａに吸着可能な場合には、反応槽２２を設置せずに反応ステップＳ２２を実施しなくてもよい。
【００４７】
また、固液分離ステップＳ３０では、液体サイクロン３０を用いて遠心力を利用して粉末吸着剤Ａを分離したがこのような構成に限定されるものではなく、有機系材料を用いたフィルタを使用せずに分離させることができればよい。例えば、固液分離ステップＳ３０では、液体サイクロン３０以外の遠心分離機や、重力を利用した沈降分離機を用いてもよい。
【００４８】
また、本実施形態では、ｐＨ調整ステップＳ５０や再除染ステップＳ１０を実施しているが、このような構成に限定されるものではなく、ｐＨ調整ステップＳ５０や再除染ステップＳ１０を実施せずに固液分離ステップＳ３０後の処理水Ｗ３をそのまま廃棄してもよい。
【符号の説明】
【００４９】
１００，１０１…放射性廃液処理装置  １０…除染設備  Ｗ１…放射性廃液  Ａ…粉末吸着剤  ２０…吸着部  ２１…混合容器  ２２…反応槽  ３０…液体サイクロン  ４０…固化部  ５０…ｐＨ調整部  Ｗ２…混合溶液  Ｗ３…処理水  Ｓ１００，Ｓ１０１…放射性廃液処理方法  Ｓ２０…吸着ステップ  Ｓ２１…混合ステップ  Ｓ２２…反応ステップ  Ｓ３０…固液分離ステップ  Ｓ４０…固化ステップ  Ｓ５０…ｐＨ調整ステップ  Ｓ１０…再除染ステップ  ６０…フィルタ通水部  Ｗ４…再除去処理水  Ｓ６０…フィルタ通水ステップ
【図１】
2016114472.tif 000003
【図２】
2016114472.tif 000004
【図３】
2016114472.tif 000005
【図４】
2016114472.tif 000006